(57)【特許請求の範囲】
【請求項１】
入射される光学信号を電気信号に変換する撮像素子と、
前記撮像素子から出力されるアナログ電気信号をサンプリングしてＲＡＷ画像データに変換するＡ／Ｄ変換器と、
前記Ａ／Ｄ変換器から出力されるＲＡＷ画像データに信号処理を施し、表示デバイスに表示させるための表示画像データを生成する信号処理部と、
前記信号処理部での遅延時間と同等の遅延調整を行う遅延調整部と、
前記信号処理部からの表示画像データを格納する第１のフレームメモリと、
前記遅延調整部からのＲＡＷ画像データを格納する第２のフレームメモリと、
前記信号処理部で使用する信号処理パラメータを格納するための第３のメモリと、
表示画像データを表示デバイスに表示するための表示部と、
前記第２のフレームメモリに格納されたＲＡＷ画像データ及び前記第３のメモリに格納された信号処理パラメータを一対のデータとして記録する不揮発性メモリと、
内部制御を行うマイコンと、
前記マイコンをユーザーにより操作するための外部操作手段と
を備え、前記遅延調整部により、前記第１のフレームメモリに格納される表示画像データと、前記第２のフレームメモリに格納されるＲＡＷ画像データにおける、撮像からの遅延時間を合致できるように調整し、後段での双方の処理を並列処理する構成にした
ことを特徴とする撮像装置。
【請求項２】
請求項１に記載の撮像装置において、
前記第１のフレームメモリは、前記撮像素子による撮像から、撮像されたＲＡＷ画像データを前記表示部に伝送し、表示デバイスに表示するまでの経路に設けられて、前記第１のフレームメモリへのデータ書き込み及び読み出しを１回だけ実施する構成とした
ことを特徴とする撮像装置。
【請求項３】
請求項１または２に記載の撮像装置において、
前記マイコンは、前記第２のフレームメモリに格納されたＲＡＷ画像データと前記第３のメモリに格納された信号処理パラメータを一対のデータとして前記不揮発性メモリに記録する動作と、前記第１のフレームメモリに格納された表示画像データを前記表示部にて表示させる動作とを並列動作する構成とした
ことを特徴とする撮像装置。
【発明の詳細な説明】
【技術分野】
【０００１】
本発明は、撮像素子により撮像した画像データを、不揮発性メモリに記録して再生を行うことのできる撮像装置に関するものである。
【背景技術】
【０００２】
従来のデジタルカメラ等において、撮像した画像データを記録可能な撮像装置は、撮像された未加工データ（以下、ＲＡＷ画像データと称す）に、ホワイトバランス、画質等の信号処理を施してから不揮発性メモリ等に記録している。よって、既に不揮発性メモリ等に記録された画像データのホワイトバランスや画質等の調整を再度実施したい場合、画像データをＰＣ等で取り込んで加工しても画質低下を招く等ユーザーの満足する結果を得られなかった。
【０００３】
この改善策として、撮像したＲＡＷ画像データに信号処理を施す前に、一旦フレームメモリ（ＲＡＷ画像格納用メモリ）に格納し、当該フレームメモリから読み出したＲＡＷ画像データに、ホワイトバランス、画質等の信号処理を施した後、再度別のフレームメモリ（表示画像格納用メモリ）への書き込み及び読み出しを行い、表示部にて画像表示することで、ユーザーによるホワイトバランス、画質等の確認を行い、ユーザーに満足を得られた信号処理パラメータとＲＡＷ画像データを一対にして不揮発性メモリに記録することが可能な構成としているものがある（例えば、特許文献１参照）。
【先行技術文献】
【特許文献】
【０００４】
【特許文献１】特許第４１２６６４０号公報（請求項１、図１）
【発明の概要】
【発明が解決しようとする課題】
【０００５】
しかしながら、特許文献１に記載のように、ＲＡＷ画像データと信号処理パラメータを一対にして不揮発性メモリに記録可能な撮像装置では、撮像素子にて撮像されたＲＡＷ画像データを、一旦フレームメモリ（ＲＡＷ画像格納用メモリ）に格納し、当該フレームメモリから読み出したＲＡＷ画像データに信号処理を加えた後、再度別のフレームメモリ（表示画像格納用メモリ）に格納し、更に当該フレームメモリから読み出した信号処理された表示画像データを表示部に転送して表示デバイスに表示しているため、ＲＡＷ画像データを不揮発性メモリに記録する場合、２つのフレームメモリを別々のタイミングで処理しなければならず、複雑な制御信号を生成する必要があった。
【０００６】
また、撮像素子による撮像から画像表示までに、大きな遅延時間を必要とするフレームメモリヘのデータ書き込み及び読み出しを２回実施しており、この間の遅延時間を長く要するという問題点があった。
【０００７】
本発明は上述した点に鑑みてなされたもので、ＲＡＷ画像データをフレームメモリに格納する動作と、ＲＡＷ画像データに信号処理を加えた表示画像データを別のフレームメモリに格納する動作との遅延時間が常に合致していて並列動作可能であるため、ＲＡＷ画像データを不揮発性メモリに記録する処理を行う場合でも、双方のフレームメモリでの処理を同一制御タイミングで行うことが可能となり、制御を単純化できる撮像装置を得ることを目的とする。
【課題を解決するための手段】
【０００８】
本発明に係る撮像装置は、入射される光学信号を電気信号に変換する撮像素子と、前記撮像素子から出力されるアナログ電気信号をサンプリングしてＲＡＷ画像データに変換するＡ／Ｄ変換器と、前記Ａ／Ｄ変換器から出力されるＲＡＷ画像データに信号処理を施し、表示デバイスに表示させるための表示画像データを生成する信号処理部と、前記信号処理部での遅延時間と同等の遅延調整を行う遅延調整部と、前記信号処理部からの表示画像データを格納する第１のフレームメモリと、前記遅延調整部からのＲＡＷ画像データを格納する第２のフレームメモリと、前記信号処理部で使用する信号処理パラメータを格納するための第３のメモリと、表示画像データを表示デバイスに表示するための表示部と、前記第２のフレームメモリに格納されたＲＡＷ画像データ及び前記第３のメモリに格納された信号処理パラメータを一対のデータとして記録する不揮発性メモリと、内部制御を行うマイコンと、前記マイコンをユーザーにより操作するための外部操作手段とを備え、前記遅延調整部により、前記第１のフレームメモリに格納される表示画像データと、前記第２のフレームメモリに格納されるＲＡＷ画像データにおける、撮像からの遅延時間を合致できるように調整し、後段での双方の処理を並列処理する構成にしたことを特徴とする。
【発明の効果】
【０００９】
本発明によれば、ＲＡＷ画像データをフレームメモリに格納する動作と、ＲＡＷ画像データに信号処理を加えた表示画像データを別のフレームメモリに格納する動作との遅延時間が常に合致していて並列動作可能なため、ＲＡＷ画像データを不揮発性メモリに記録する処理を行う場合でも、双方のフレームメモリでの処理を同一制御タイミングで行うことが可能となり、制御を単純化できるという効果がある。
【図面の簡単な説明】
【００１０】
【図１】本発明の実施の形態１に係る撮像装置の構成を示すブロック図である。
【図２】ＲＡＷ画像データ入力から表示画像データ出力までのタイミングチャートである。
【図３】ＲＡＷ画像データ記録する場合のタイミングチャートである。
【発明を実施するための形態】
【００１１】
実施の形態１．
図１は、本発明の実施の形態１に係る撮像装置の構成を示すブロック図である。図１に示す撮像装置は、入射した光量に応じたアナログ電気信号を出力するＣＣＤ、ＣＭＯＳ等の撮像素子１と、撮像素子１から入力されるアナログ電気信号をデジタルデータ（以下、ＲＡＷ画像データと称す）に変換するＡ／Ｄ変換器２と、Ａ／Ｄ変換器２からのＲＡＷ画像データに信号処理を施し、表示画像データを生成する信号処理部３と、入力されるＲＡＷ画像データに、信号処理部３の遅延と同等の遅延時間を調整付加する遅延調整部４と、信号処理部３からの表示画像データを格納する第１のフレームメモリ（表示画像格納用メモリ）５と、遅延調整部４から出力されるＲＡＷ画像データを格納する第２のフレームメモリ（ＲＡＷ画像格納用メモリ）６と、信号処理部３にてＲＡＷ画像に信号処理を行うときに用いる信号処理パラメータを格納するための第３のメモリ（信号処理パラメータ格納用メモリ）７と、第１のフレームメモリ５から読み出された表示画像データを、ＬＣＤ等の表示デバイスに表示するための表示部８と、第２のフレームメモリ６に格納されたＲＡＷ画像データ及び第３のメモリ７に格納された信号処理パラメータを一対にして記録するための不揮発性メモリ９と、信号処理部３の信号処理パラメータの設定、撮像タイミング、及び画像データの記録タイミング等を生成する内部制御用マイコン１０と、ユーザーにより操作され、マイコン１０へ制御指示を行うための外部操作手段１１とを備える。
【００１２】
次に動作について説明する。撮像素子１により、入射される光量に応じたアナログ電気信号が生成され出力される。出力されたアナログ電気信号は、Ａ／Ｄ変換器２でサンプリングされてＲＡＷ画像データに変換される。変換されたＲＡＷ画像データは、後段の信号処理部３及び遅延調整部４の両方に並列に入力される。信号処理部３では、入力されたＲＡＷ画像データに信号処理が施されて表示用画像データに変換され、第１のフレームメモリ（表示画像格納用メモリ）５に格納される。第１のフレームメモリ５に格納された表示画像データは、再度読み出されて後段の表示部８に送信され、ＬＣＤ等の表示デバイスにて表示される。
【００１３】
一方、遅延調整部４では、入力されるＲＡＷ画像データに信号処理部３と同等の遅延を付加し、後段の第２のフレームメモリ（ＲＡＷ画像格納用メモリ）６に格納される。マイコン１０では、ユーザーによって操作される外部操作手段１１からの指示に従い、内部制御信号を生成して、信号処理部３での信号処理パラメータ設定の実施、及び信号処理パラメータ自体を第３のメモリ（信号処理パラメータ格納用メモリ）７に格納する。
【００１４】
さらに、外部操作手段１１からＲＡＷ画像データ記録指示を受けた場合は、第２のフレームメモリ６に格納されたＲＡＷ画像データ、及び第３のメモリ７に格納された信号処理パラメータを読み出して、双方を一対のデータとして不揮発性メモリ９への記録を実施する。
【００１５】
上述のように、ＲＡＷ画像データを第２のフレームメモリ（ＲＡＷ画像格納用メモリ）６に格納する動作と、ＲＡＷ画像データに信号処理を加えて生成した表示画像データを第１のフレームメモリ（表示画像格納用メモリ）５に格納する動作との遅延時間が常に合致していて並列動作可能なため、ＲＡＷ画像データを不揮発性メモリ９に記録する処理を行う場合でも、双方のフレームメモリでの処理を同一制御タイミングで行うことが可能となり、制御を単純化できるという効果がある。
【００１６】
図２に、ＲＡＷ画像データ入力後、表示部８から表示画像データが出力されるまでの経路についてのタイミングチャートを示す。Ａ／Ｄ変換器２より出力されるＲＡＷ画像データが信号処理部３により表示画像データに変換される際の遅延時間を「ｔ１」とすると、ＲＡＷ画像データは、入力されてから「ｔ１」時間後、第１のフレームメモリ（表示画像格納用メモリ）５に格納される。一方、遅延調整部４では入力されるＲＡＷ画像データに、信号処理部３で発生する遅延時間と同等の「ｔ１」時間の遅延調整を行い、表示画像データと合致したタイミングでＲＡＷ画像データを、第２のフレームメモリ（ＲＡＷ画像格納用メモリ）６に格納する。次に、第１のフレームメモリ５では第１のフレームメモリ５の内部データ残量を確認しながら「ｔ２」時間後に読み出しを開始し、後段の表示部８へとデータ転送を行う。このため、ＲＡＷ画像データ入力から表示部８への表示画像データ出力までの総遅延時間は、「ｔ１＋ｔ２＝Ｔａｌｌ」時間で表すことができる。
【００１７】
上述のように、撮像から画像表示までの経路において、大きな遅延時間を伴う第１のフレームメモリ（表示画像格納用メモリ）５へのデータ書き込み及び読み出し回数を夫々１回だけとしたため、撮像から画像表示までの遅延時間を短くすることができるという効果がある。
【００１８】
また、図３には、ＲＡＷ画像データ入力後、表示部８から表示画像データが出力されるまでの経路についてのタイミングチャートと並行して、第２のフレームメモリ６に格納されたＲＡＷ画像データを不揮発性メモリ９に記録する場合のタイミングチャートを示す。外部操作手段１１からの指示に従い、任意のタイミングでマイコン１０から、ＲＡＷ画像データ記録開始トリガ信号が発行された場合、第２のフレームメモリ（ＲＡＷ画像格納用メモリ）６では、格納されたＲＡＷ画像データを、第２のフレームメモリ６の内部データ残量を確認しながら「ｔ３」時間後に読み出しを開始し、後段の表示部８へとデータ転送を行う。この時、後段の不揮発性メモリ９にＲＡＷ画像データを記録する動作と、第１のフレームメモリ（表示画像格納用メモリ）５から表示画像データが読み出され、表示部８に転送されるタイミングとが重なった場合でも、夫々の動作は並列に動作可能な構成となっているため、画像表示を行いながらＲＡＷ画像データを不揮発性メモリ９に記録することが可能である。
【００１９】
上述のように、第２のフレームメモリ（ＲＡＷ画像格納用メモリ）６に格納された、ＲＡＷ画像データを不揮発性メモリ９へ記録する動作と、第１のフレームメモリ（表示画像格納用メモリ）６に格納された表示画像データを表示部８にて表示させる動作を並列動作できる構成にしたので、ユーザーによる任意のタイミングでＲＡＷ画像データ記録が開始された場合、ＲＡＷ画像データを不揮発性メモリ９に記録している最中であっても、連続した画像表示を行うことができるという効果がある。
【符号の説明】
【００２０】
１  撮像素子、２  Ａ／Ｄ変換器、３  信号処理部、４  遅延調整部、５  第１のフレームメモリ、６  第２のフレームメモリ、７  第３のメモリ、８  表示部、９  不揮発性メモリ、１０  マイコン、１１  外部操作手段。
【図１】
0005457279.tif 000002
【図２】
0005457279.tif 000003
【図３】
0005457279.tif 000004